(57)【要約】【課題】盤側端子台から制御線を取外したとき、端子部を絶縁処理するとともに、養生を容易に行う。【解決手段】盤側端子台から制御線３を取外し、リング状の端子部３ａを絶縁処理して養生する受配電設備の制御線養生端子台において、端子部３ａを開口部５を設けた絶縁容器６に差込むと、係止ピン７に係止されて引抜きが不可となる端子係止手段と、絶縁容器６を着脱自在に箱体１に固定する磁性体シート１１からなる吸着手段と、を備えたことを特徴とする。【選択図】  図１
2014183681.tif 000002
【特許請求の範囲】
【請求項１】
盤側端子台から制御線を取外し、リング状の端子部を絶縁処理して養生する受配電設備の制御線養生端子台において、
前記端子部を開口部を設けた絶縁容器に差込むと、引抜きが不可となる端子係止手段と、
前記絶縁容器を着脱自在に箱体に固定する吸着手段と、
を備えたことを特徴とする受配電設備の制御線養生端子台。
【請求項２】
前記絶縁容器に一対の開口部を設けたことを特徴とする請求項１に記載の受配電設備の制御線養生端子台。
【請求項３】
前記端子係止手段は、前記絶縁容器と、
前記絶縁容器の一側面に設けられた前記開口部と、
前記絶縁容器の上面を進退自在に貫通するとともに、先端にテーパ部を設けた係止ピンと、
前記テーパ部の先端が所定のばね力で当接するとともに、前記絶縁容器内の底面に固定された絶縁台とで構成され、
前記吸着手段は、前記絶縁容器の他側面に設けられた磁性体シートで構成されることを特徴とする請求項１または請求項２に記載の受配電設備の制御線養生端子台。
【発明の詳細な説明】
【技術分野】
【０００１】
本発明の実施形態は、配電盤などの受配電設備を増設、改造するとき、一時的に盤側端子台から制御線を取外し、端子部を絶縁処理、養生することのできる受配電設備の制御線養生端子台に関する。
【背景技術】
【０００２】
従来、受配電設備には、箱体内の収納機器を制御したり、主回路電圧を計測したりするため、複数本の制御線が配線されている（例えば、特許文献１参照。）。
【０００３】
一方、受配電設備を増設、改造するときには、盤側端子台から一時的に制御線を取外し、導体が露出した端子部を絶縁テープで絶縁処理するとともに、判別するための所定記号を記し、クッションシートなどで覆って養生をしている。しかしながら、制御線の本数が増加すると、これらの作業が煩雑となり、多大の時間を要していた。このため、これらの作業の効率向上が望まれていた。
【先行技術文献】
【特許文献】
【０００４】
【特許文献１】特開２００３−１７１５３号公報
【発明の概要】
【発明が解決しようとする課題】
【０００５】
本発明が解決しようとする課題は、盤側端子台から制御線を取外したとき、端子部を絶縁処理するとともに、外力から保護するための養生を容易に行うことのできる受配電設備の制御線養生端子台を提供することにある。
【課題を解決するための手段】
【０００６】
上記課題を解決するために、実施形態の受配電設備の制御線養生端子台は、盤側端子台から制御線を取外し、リング状の端子部を絶縁処理して養生する受配電設備の制御線養生端子台において、前記端子部を開口部を設けた絶縁容器に差込むと、引抜きが不可となる端子係止手段と、前記絶縁容器を着脱自在に箱体に固定する吸着手段と、を備えたことを特徴とする。
【図面の簡単な説明】
【０００７】
【図１】本発明の実施例１に係る受配電設備の制御線養生端子台の構成を示す斜視図。
【図２】本発明の実施例１に係る受配電設備の制御線養生端子台の構成を示す拡大断面図。
【図３】本発明の実施例２に係る受配電設備の制御線養生端子台の構成を示す拡大断面図。
【図４】本発明の実施例２に係る受配電設備の制御線養生端子台の絶縁台の構成を示す上面図。
【発明を実施するための形態】
【０００８】
以下、図面を参照して本発明の実施例を説明する。
【実施例１】
【０００９】
先ず、本発明の実施例１に係る受配電設備の制御線養生端子台を図１、図２を参照して説明する。図１は、本発明の実施例１に係る受配電設備の制御線養生端子台の構成を示す斜視図、図２は、本発明の実施例１に係る受配電設備の制御線養生端子台の構成を示す拡大断面図である。
【００１０】
図１に示すように、遮断器などの収納機器を収納した箱体１には、開閉自在の正面扉２が設けられている。増設、改造時には、複数本の制御線３が正面側に導出されている。制御線３は、リング状の導体が露出した端子部３ａと、絶縁被覆されたリード線部３ｂで構成されている。正面扉２の裏面には、複数の制御線養生端子台４が着脱自在に設けられている。
【００１１】
制御線養生端子台４は、図２に示すように、側面に開口部５を有する四角体の絶縁容器６と、絶縁容器６の上面を貫通して進退自在に設けられた絶縁製の係止ピン７と、絶縁容器６の底面に固定され、係止ピン７が当接する絶縁台８で構成されている。係止ピン７は、先端がテーパ部７ａとなっており、開口部５側がテーパ面、奥側が垂直面となっている。係止ピン７の周りには、係止ピン７を絶縁台８の凹部８ａ底面に押付けるように付勢されたばね９が設けられている。絶縁容器６の外側には、開口部５側に表示板１０、これと対向する側面に磁性体シート１１が設けられている。
【００１２】
次に、受配電設備を増設、改造する場合について説明する。図１に示すように、増設、改造では、図示しない盤側端子台から、工事に必要な複数本の制御線３が取外される。外された制御線３は、図２に示すように、端子部３ａを開口部５から絶縁容器６内に差込む。端子部３ａの先端は、先ず、テーパ部７ａに当接し、係止ピン７を一旦押上げる（矢印Ａ）。更に押込み、二点鎖線で示すように、端子部３ａの穴部に達すると、係止ピン７がばね９のばね力によって絶縁台８側に戻される（矢印Ｂ）。ばね９は、この動作ができるばね力を持っている。この状態になると、端子部３ａの穴部がテーパ部７ａの垂直面に引っ掛かるので、制御線３を開口部５方向に引抜くことができなくなる。この状態が、端子部３ａを絶縁処理し、外力から保護する養生をしたものとなる。表示板１０では、必要により制御線３を判別する記号などを記入する。磁性体シート１１により、絶縁容器６を正面扉２や箱体１のいかなる個所にも、着脱自在に固定することができる。
【００１３】
なお、係止ピン７を持上げることにより、端子部３ａが垂直面から外れ、制御線３を引抜くことができる。また、テーパ面と垂直面を持つテーパ部７ａにより、リング状の端子部３ａを容易に差込め、引抜きを強固に不可とすることができる。
【００１４】
上記実施例１の受配電設備の制御線養生端子台によれば、盤側端子台から取外した制御線３の端子部３ａを、制御線養生端子台４に差込むことで、絶縁処理とともに、養生を行うことができる。このため、受配電設備の増設、改造などの作業の効率化を図ることができる。
【００１５】
上記実施例１では、制御線３の端子部３ａの仮止めを、制御線養生端子台４を用いて説明したが、例えば、ワゴジャパン社製ライティングコネクタのような、開口部に差込むときは容易で、引抜くときは解除ボタンを操作するようなものも用いることができる。
【００１６】
ここでは、これらをまとめて、端子部３ａを開口部５を設けた絶縁容器６に差込むと、引抜きが不可となる端子係止手段と定義する。
【００１７】
また、磁性体シート１１を絶縁容器６を着脱自在に箱体１に固定する吸着手段と定義する。箱体１には、正面扉２が含まれる。
【実施例２】
【００１８】
次に、本発明の実施例２に係る受配電設備の制御線養生端子台を図３、図４を参照して説明する。図３は、本発明の実施例２に係る受配電設備の制御線養生端子台の構成を示す拡大断面図、図４は、本発明の実施例２に係る受配電設備の制御線養生端子台の絶縁台の構成を示す上面図である。なお、この実施例２が実施例１と異なる点は、中継端子台としたことである。図３、図４において、実施例１と同様の構成部分においては、同一符号を付し、その詳細な説明を省略する。
【００１９】
図３、図４に示すように、絶縁容器６には、開口部５と対向する側面に、端子部１２ａとリード線部１２ｂを有する制御線１２を差込む開口部１３を設けている。即ち、一対の開口部５、１３を設けている。絶縁台８には、短絡板１４を設け、係止ピン７、１５のテーパ部７ａ、１５ａの先端がばね９、１６により凹部１４ａに当接するようになっている。係止ピン７、１５は、同様の構成であり、並んで配置されている。なお、磁性体シート１１は、絶縁容器６の底面に設けられている。
【００２０】
上記実施例２の受配電設備の制御線養生端子台によれば、実施例１による効果のほかに、取外した制御線３、１２の中継端子とすることができる。
【００２１】
以上述べたような実施形態によれば、増設、改造などで取外した制御線の絶縁処理と外力から保護する養生を容易に行うことができ、作業の効率化を図ることができる。
【００２２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２３】
１  箱体
２  正面扉
３、１２  制御線
３ａ、１２ａ  端子部
３ｂ、１２ｂ  リード線部
４  制御線養生端子台
【図１】
2014183681.tif 000003
【図２】
2014183681.tif 000004
【図３】
2014183681.tif 000005
【図４】
2014183681.tif 000006